【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
対象の皮膚および／または皮下から流体を採取するためのデバイスであって、該デバイスは：
第１の安定な構成および第２の安定な構成を有する、双安定な可逆的に変形可能な構造であって、該第１の安定な構成と該第２の安定な構成との間を可逆的に移動可能である、双安定な可逆的に変形可能な構造；
該変形可能な構造の変形可能な部分に固定された流体輸送器であって、１つ以上のマイクロニードルを備える、流体輸送器；および
該流体輸送器を通じて該対象から採取された流体を受けるための貯蔵チャンバ、を備え、
該貯蔵チャンバは、該デバイスが該対象の皮膚に適用される前に大気圧より低い内圧を有し、そして該デバイスが該対象の皮膚の表面に適用され、そして該構造が変形されるとき、該１つ以上のマイクロニードルが該対象の皮膚中に駆動される、デバイス。
【請求項２】
前記可逆的に変形可能な構造が、凹状または凸状の形状を有する、請求項１に記載のデバイス。
【請求項３】
前記可逆的に変形可能な構造は、金属を含む、請求項１に記載のデバイス。
【請求項４】
前記第１の安定な構成において、前記１つ以上のマイクロニードルが前記対象の皮膚と接触可能ではなく、そして前記第２の安定な構成において、該１つ以上のマイクロニードルが該対象の皮膚中に挿入可能である、請求項１に記載のデバイス。
【請求項５】
さらに、第１の安定な構成から第２の安定な構成への前記双安定な可逆的に変形可能な構造の切り替えを引き起こすように構成されたアクチュエータを備える、請求項１に記載のデバイス。
【請求項６】
前記１つ以上のマイクロニードルが前記対象の皮膚中に駆動された後に該対象の皮膚から該１つ以上のマイクロニードルを動かすように構成される前記双安定な可逆的に変形可能な構造から分離された後退機構をさらに備える、請求項１に記載のデバイス。
【請求項７】
前記可逆的に変形可能な構造が、スナップドームを備える、請求項１に記載のデバイス。
【請求項８】
前記可逆的に変形可能な構造が、複数の脚を備える、請求項１に記載のデバイス。
【請求項９】
対象の皮膚および／または皮下まで流体を送達し、および／または対象の皮膚および／または皮下から流体を採取するためのデバイスであって、該デバイスは：
該対象の皮膚の中に挿入するための複数のマイクロニードルであって、配置前位置と配置位置を有するマイクロニードル；
該複数のマイクロニードルに動作可能に連結可能な可逆的に変形可能な構造であって、第１の安定な構成から、不安定な構成を通って第２の安定な構成まで切り替え可能であり、ここで、該第１の安定な構成で、該マイクロニードルが該対象の皮膚と接触可能ではなく、そして該第２の安定な構成において、該マイクロニードルが該対象の皮膚中に挿入可能である、可逆的に変形可能な構造；
該複数のマイクロニードルとの流体連通に構成可能である真空チャンバであって、該デバイスが該対象の皮膚に適用される前に大気圧より低い内圧を有する真空チャンバ；
該可逆的に変形可能な構造を、該第１の安定な構成から該第２の安定な構成に切り替えさせるよう構成されたアクチュエータ；および
該真空チャンバを該複数のマイクロニードルと流体連通するように構成される真空作動構成要素、
を備える、デバイス。
【請求項１０】
前記アクチュエータが、ボタンを含む、請求項９に記載のデバイス。
【請求項１１】
前記アクチュエータの作動が、前記可逆的に変形可能な構造を、前記第１の安定な構成から前記不安定な構成に動かす、請求項９に記載のデバイス。
【請求項１２】
前記アクチュエータの作動の間に、該アクチュエータの少なくとも一部が、前記可逆的に変形可能な構造中に下方に動く、請求項９に記載のデバイス。
【請求項１３】
前記アクチュエータが、前記真空作動構成要素に動作可能に連結される、請求項９に記載のデバイス。
【請求項１４】
前記アクチュエータおよび前記真空作動構成要素が、前記アクチュエータおよび前記真空作動構成要素の両方が、１回のみの動作で作動するように構成される、請求項９に記載のデバイス。
【請求項１５】
前記真空作動構成要素が膜を破裂し、前記真空チャンバの前記複数のマイクロニードルとの流体連通を引き起こす、請求項９に記載のデバイス。
【請求項１６】
前記可逆的に変形可能な構造が双安定である、請求項９に記載のデバイス。
【請求項１７】
対象の皮膚および／または皮下まで流体を送達し、および／または対象の皮膚および／または皮下から流体を採取するためのデバイスであって、該デバイスは：
該対象の皮膚の中に挿入するための複数のマイクロニードルであって、配置前位置と配置位置を有するマイクロニードル；
該複数のマイクロニードルを該皮膚中にまたは該皮膚を通して挿入するのに十分な力で、完全配置前位置から完全配置位置まで該複数のマイクロニードルを動かし得るトリガ機構；
該複数のマイクロニードルの挿入後に該皮膚から該複数のマイクロニードルを動かすように構成される、該トリガ機構から分離された後退機構；および
該複数のマイクロニードルと流体連通している真空チャンバ、
を備え、
ここで、該デバイスが該対象の皮膚に適用される前に該真空チャンバが大気圧より低い内圧を有する、
デバイス。
【請求項１８】
前記後退機構が、ばね、弾性部材、または折り畳み可能なフォームを含む、請求項１７に記載のデバイス。
【請求項１９】
さらに、前記複数の皮膚挿入物に動作可能に連結可能な可逆的に変形可能な構造を備え、該可逆的に変形可能な構造が、第１の安定な構成から不安定な構成を通って第２の安定な構成に切り替え可能であり、該第１の安定な構成で、該複数の皮膚挿入物が配置前位置にあり、そして第２の安定な構成で、該複数の皮膚挿入物が配置位置にある、請求項１７に記載のデバイス。
【請求項２０】
対象の皮膚および／または皮下から流体を採取するためのデバイスであって、該デバイスは：
第１の安定な構成と第２の安定な構成との間を移動可能である可撓性の凹状部材；
複数のマイクロニードルであって、該可撓性の凹状部材の該第１の構成から該第２の構成までの動きが、該複数のマイクロニードルを動かすマイクロニードル；
該デバイスが該対象の皮膚に適用される前に大気圧より低い内圧を有する真空チャンバ；
負圧が該対象の皮膚に加えられるとき、該複数のマイクロニードルを通じて該対象から採取された流体を受けるための、該真空チャンバから分離された、貯蔵チャンバ；および
該真空チャンバおよび該貯蔵チャンバから分離され、そして該貯蔵チャンバの断面積より小さい断面積を有するマイクロ流体コンジット、
を備え、
該真空チャンバが、該マイクロ流体コンジットを通じて該貯蔵チャンバと流体連通している、デバイス。
【請求項２１】
前記貯蔵チャンバが、前記真空チャンバから膜によって分離されている、請求項２０に記載のデバイス。
【請求項２２】
前記貯蔵チャンバが、前記真空チャンバから、多孔質構造または溶解性インタフェースによって分離されている、請求項２０に記載のデバイス。
【請求項２３】
さらに、前記可撓性の凹状部材の前記第１の安定な構成から前記第２の安定な構成までの間の動きを引き起こし得るアクチュエータを備える、請求項２０に記載のデバイス。
【請求項２４】
対象の皮膚および／または皮下から流体を採取するためのデバイスであって、該デバイスは：
可撓性の凹状部材；
該可撓性の凹状部材に機械的に連結され、そして複数のマイクロニードルを備える流体輸送器であって、該複数のマイクロニードルを該対象の皮膚中に、該皮膚との接触の点で、少なくとも約１ｃｍ／ｓの速度、および／または少なくとも約１００，０００ｍ／ｓ２の加速で挿入するように構成される支持構造を備える、流体輸送器；および
該流体輸送器を通じて該対象から採取された流体を受けるための貯蔵チャンバであって、該デバイスが該対象の皮膚に適用される前に大気圧より低い内圧を有する貯蔵チャンバ、
を備える、デバイス。
【請求項２５】
請求項２４に記載のデバイスであって、さらに：
前記貯蔵チャンバから分離される真空チャンバ；および
該真空チャンバおよび該貯蔵チャンバから分離されるマイクロ流体コンジット、
を備え、
該真空チャンバが、該マイクロ流体コンジットを通じて該貯蔵チャンバと流体連通している、デバイス。
【請求項２６】
前記支持構造が、前記１つ以上のマイクロニードルを前記皮膚中に少なくとも約１０ｃｍ／ｓの速度で挿入するように構成される、請求項２４に記載のデバイス。
【請求項２７】
前記支持構造が、前記１つ以上のマイクロニードルを前記皮膚中に少なくとも約３００，０００ｍ／ｓ２の速度で挿入するように構成される、請求項２４に記載のデバイス。
【請求項２８】
前記可撓性の凹状部材が、双安定である、請求項２４に記載のデバイス。
【請求項２９】
さらに、前記可撓性の凹状部材の動きを引き起こすように構成されるアクチュエータを備える、請求項２４に記載のデバイス。